(57)【要約】  【解決手段】  ヘッド本体、少なくとも一個の重りおよび少なくとも一個の結合部材により構成される。ヘッド本体には凹欠部が適当に設けられる。重りには蓋板と複数個の突出部が設けられる。蓋板は凹欠部とは同じ対称の形状に形成される。突出部は異なった重さの分布を提供する。組立時において重りは結合部材を利用してヘッド本体の凹欠部の内部に結合され、重りが凹欠部に相対する組立の角度を適当に変えることにより、ゴルフクラブヘッドの全体の重心位置を変えることができるように構成されている。  【効果】  ヘッド本体に重りと結合するための凹欠部を設け、異なった組立の角度を利用して重りを凹欠部に結合することにより、異なった重りの効果を提供できるため、全体の重心位置を迅速に調整し、さらに重り調整の利便性を相対的に増やすことができる。【選択図】    図１
2006141710.tif 000002
【特許請求の範囲】
【請求項１】
ヘッド本体（１）、少なくとも一個の重り（２）および少なくとも一個の結合部材（３）により構成されるゴルフクラブヘッドの重さ調整自在構造であって、ヘッド本体（１）には凹欠部（１１）が適当に設けられ、凹欠部（１１）の内部には複数個の収容部（１２）と少なくとも一個の結合部（１３）が対称になるように設けられ、重り（２）には蓋板（２０）、複数個の突出部（２１、２２）と少なくとも一個の結合部（２１１、２２１）が設けられ、蓋板（２０）はヘッド本体（１）の凹欠部（１１）とは同じ対称の形状に形成され、突出部（２１、２２）は異なった重さの分布を提供すると共に、凹欠部（１１）の収容部（１２）の内部に収容され、結合部材（３）は組立時において重り（２）とヘッド本体（１）の結合部（１３）を結合するのに用いられ、さらに組立時において重り（２）が凹欠部（１３）に相対する組立の角度を適当に変えることにより、ゴルフクラブヘッドの全体の重心位置を迅速に変えることができることを特徴とするゴルフクラブヘッドの重さ調整自在構造。
【請求項２】
ヘッド本体（１）の凹欠部（１１）と重り（２）の蓋板（２０）は共同で正方形、菱形、平行四辺形、矩形、正多辺形、円形、楕円形、三角形、星形による対称の形状を選択して形成することを特徴とする請求項１記載のゴルフクラブヘッドの重さ調整自在構造。
【請求項３】
重り（２）の蓋板（２０）の突出部（２１，２２）は部分的に同じ重さを有するように形成されることを特徴とする請求項１記載のゴルフクラブヘッドの重さ調整自在構造。
【請求項４】
重り（２）の蓋板（２０）の突出部（２１，２２）の間には全て異なった重さを有するように形成されることを特徴とする請求項１記載のゴルフクラブヘッドの重さ調整自在構造。
【請求項５】
ヘッド本体（１）の結合部（１３）と重り（２）の結合部（２１１、２２１）はねじ孔からなり、さらに結合部材（３）はボルトからなることを特徴とする請求項１記載のゴルフクラブヘッドの重さ調整自在構造。
【請求項６】
ヘッド本体（１）は二個の結合部（１３）を１８０°対角に凹欠部（１１）の二個の収容部（１２）の内部に設けるように形成され、さらに重り（２）は二個の結合部（２１１、２２１）を１８０°対角に蓋板（２０）の内面に設けるように形成されることを特徴とする請求項１記載のゴルフクラブヘッドの重さ調整自在構造。
【請求項７】
ヘッド本体（１）は凹欠部（１１）の正中央位置において一個の結合部（１３）が設けられ、さらに重り（２）は蓋板（２０）の内面の正中央位置において一個の結合部（２０１）が設けられることを特徴とする請求項１記載のゴルフクラブヘッドの重さ調整自在構造。
【請求項８】
凹欠部（１１）はヘッド本体（１）のソール部において後側、トウ部、ヒール部、フェース板、中央に近い位置に形成するのを選択することができることを特徴とする請求項１記載のゴルフクラブヘッドの重さ調整自在構造。
【請求項９】
凹欠部（１１）はヘッド本体（１）の各側辺において後側、トウ部、ヒール部に近い位置に形成するのを選択することができることを特徴とする請求項１記載のゴルフクラブヘッドの重さ調整自在構造。
【請求項１０】
ヘッド本体（１）はウッド型、アイアン型、パター型のヘッドから選択することができることを特徴とする請求項１記載のゴルフクラブヘッドの重さ調整自在構造。
【発明の詳細な説明】
【技術分野】
【０００１】
本発明は、ゴルフクラブヘッドの重さ調整自在構造に関するもので、特に重りは異なった組立の角度を利用してヘッド本体に結合することにより、二種類以上の重りを提供することができるゴルフクラブヘッドの重さ調整自在構造に係るものである。
【背景技術】
【０００２】
従来のゴルフクラブヘッドの重さ調整自在構造としては、ヘッド本体、少なくとも一個の重りねじおよび少なくとも一個の飾り蓋が含まれる。ヘッド本体は適当な位置において少なくとも一個のねじ孔が設けられる。各重りねじの長さはねじ孔の深さより短くなるように形成されるため、重りねじを適当に調整することによってねじ孔の内部の適当な位置まで螺設し結合することができる。飾り蓋はねじ孔の開口部に螺設し結合されるため、ねじ孔の外観を飾ることができるようにとしたものがある（例えば、特許文献１を参照）。
【特許文献１】米国特許公開番号第２００２−０１３７５７６号
【発明の開示】
【発明が解決しようとする課題】
【０００３】
上記のような従来のゴルフクラブヘッドの重さ調整自在構造においては、重りねじによりゴルフクラブヘッドの全体の重心位置を迅速に調整することができるが、実際に調整を行う時、使用者は時間や力を掛けてスパナを利用して各重りねじと飾り蓋を遂一に調整しなければならない。また、重りねじと飾り蓋の調整範囲が過大で、処理し難いため、使用者が全体の重心位置を精確に制御することができないという問題点があった。このように、上記のような従来のゴルフクラブヘッドの重さ調整自在構造をさらに改良しなければならない。
【０００４】
本発明はこのような問題点に鑑みて発明したものであって、その目的とするところは、ヘッド本体に重りと結合するための凹欠部を設け、異なった組立の角度を利用して重りを凹欠部に結合することにより、異なった重りの効果を提供することができるため、全体の重心位置を迅速に調整することができると共に、重り調整の利便性を相対的に増やすことができるゴルフクラブヘッドの重さ調整自在構造を提供しようとするものである。
【０００５】
本発明の第一の目的は、異なった組立の角度を利用して重りを凹欠部に結合することにより、二種類以上の異なった重りの効果を提供することができるため、重り調整の自由度と利便性を増やすことができるゴルフクラブヘッドの重さ調整自在構造を提供しようとするものである。
【０００６】
本発明の第二の目的は、ヘッド本体に凹欠部を設け、凹欠部は幾何または特殊な設計による対称の形状になるように選択することにより、異なった組立の角度を利用して対応する形状の重りを結合することができるため、重り調整の自由度と利便性を増やすことができるゴルフクラブヘッドの重さ調整自在構造を提供しようとするものである。
【課題を解決するための手段】
【０００７】
上記目的を達成するために、本発明によるゴルフクラブヘッドの重さ調整自在構造は、下記のようになるものである。すなわち、
ヘッド本体、少なくとも一個の重りおよび少なくとも一個の結合部材により構成される。ヘッド本体には凹欠部が適当に設けられ、凹欠部の内部には複数個の収容部と少なくとも一個の結合部が対称になるように設けられる。重りには蓋板、複数個の突出部と少なくとも一個の結合部が設けられ、蓋板はヘッド本体の凹欠部とは同じ対称の形状に形成され、突出部は異なった重さの分布を提供すると共に、凹欠部の収容部の内部に収容される。結合部材は組立時において重りとヘッド本体の結合部を結合するのに用いられ、さらに組立時において重りが凹欠部に相対する組立の角度を適当に変えることにより、ゴルフクラブヘッドの全体の重心位置を迅速に変えることができる。
【０００８】
本発明によるゴルフクラブヘッドの重さ調整自在構造は、ヘッド本体の凹欠部と重りの蓋板は共同で正方形、菱形、平行四辺形、矩形、正多辺形、円形、楕円形、三角形、星形による対称の形状を選択して形成することもできる。また、重りの蓋板の突出部は部分的に同じ重さを有するように形成されることもできる。また、重りの蓋板の突出部の間には全て異なった重さを有するように形成されることもできる。また、ヘッド本体の結合部と重りの結合部はねじ孔からなり、さらに結合部材はボルトからなることもできる。また、ヘッド本体は二個の結合部を１８０°対角に凹欠部の二個の収容部の内部に設けるように形成され、さらに重りは二個の結合部を１８０°対角に蓋板の内面に設けるように形成されることもできる。また、ヘッド本体は凹欠部の正中央位置において一個の結合部が設けられ、さらに重りは蓋板の内面の正中央位置において一個の結合部が設けられることもできる。また、凹欠部はヘッド本体のソール部において後側、トウ部、ヒール部、フェース板、中央に近い位置に形成するのを選択することもできる。また、凹欠部はヘッド本体の各側辺において後側、トウ部、ヒール部に近い位置に形成するのを選択することもできる。また、ヘッド本体はウッド型、アイアン型、パター型のヘッドから選択することもできる。
【発明の効果】
【０００９】
本発明のゴルフクラブヘッドの重さ調整自在構造によれば、異なった組立の角度を利用して重りを凹欠部に結合することにより、二種類以上の異なった重りの効果を提供することができるため、重り調整の自由度と利便性を増やすことができるという利点がある。
【００１０】
本発明のゴルフクラブヘッドの重さ調整自在構造によれば、ヘッド本体に凹欠部を設け、凹欠部は幾何または特殊な設計による対称の形状になるように選択することにより、異なった組立の角度を利用して対応する形状の重りを結合することができるため、重り調整の自由度と利便性を増やすことができるという利点がある。
【発明を実施するための最良の形態】
【００１１】
本発明の実施の形態について、以下、図面を参照して説明する。
【実施例１】
【００１２】
図１を参照すると、本発明の実施例１のゴルフクラブヘッドの重さ調整自在構造にはヘッド本体１、重り２および二個の結合部材３が含まれる。ヘッド本体１はウッド型、アイアン型またはパター型などの従来のヘッドの基本構造から選択することができるが、本発明においては全てウッド型ヘッドを例に挙げるため、各種のヘッドの基本構造については再び詳しく説明しない。ヘッド本体１には適当な位置に凹欠部１１が設けられ、例えばソール部（sole）において後側（rear）に近い位置に凹欠部１１を設ける。凹欠部１１は好ましくは正方形、菱形または平行四辺形の幾何対称の形状に形成される。凹欠部１１の内底面には複数個の収容部１２と二個の結合部１３が設けられる。収容部１２は対称になるように凹欠部１１の内部の四隅の位置に凹むように設けられ、さらに各収容部１２は全て同じ容積を有するように形成される。二個の結合部１３は例えば１８０°対角に凹欠部１１の二個の収容部１２の内部に設けられ、結合部１３は好ましくはねじ孔からなり、またはその他の等効果の結合構造と置き換えることができる。
【００１３】
図１、２を参照すると、本発明の実施例１の重り２は好ましくはヘッド本体１と異なった比重の材料により製成され、重り２には蓋板２０、二個の第一突出部２１と二個の第二突出部２２が含まれる。蓋板２０の形状は凹欠部１１の形状とは対応するように形成され、例えば正方形、菱形または平行四辺形から選択することができる。第一突出部２１と第二突出部２２は蓋板２０の内面の四隅の位置に突出するように設けられる。二個の第一突出部２１は互いに隣接するように形成され、そして同じ重さを有するように適当に設計される。二個の第一突出部２１の内に一個の突出部２１に結合部２１１が形成され、結合部２１１は好ましくはねじ孔からなり、またはその他の等効果の結合構造と置き換えることができる。第一突出部２１と第二突出部２２との間には異なった重さを有するように形成される。二個の結合部２１１、２２１は対角に設置するように形成される。さらに、結合部材３は好ましくはボルトからなり、またはその他の等効果の結合構造と置き換えることができる。
【００１４】
図３、４を参照すると、本発明において組立を行う時、先ず重り２の二個の結合部２１１、２２１をヘッド本体１の凹欠部１１の二個の結合部１３に適当に位置合わせする。それから、二個の結合部材３を利用してそれぞれ結合部２１１、１３または２２１、１３を貫穿し、重り２を凹欠部１１の内部に螺設し結合させることにより、組立を完成することができる。組立後において、第一突出部２１と第二突出部２２はヘッド本体１の異なった相対の位置に位置されるため、ゴルフクラブヘッドの全体の重心を予定された位置（図示せず）まで調整することができる。
【００１５】
図５を参照すると、本発明において重さをさらに調整しようとする時、重り２の蓋板２０と突出部２１、２２には少なくとも１８０°の対称の形状を有するように形成されるため、蓋板２０を１８０°回動させても、ヘッド本体１の凹欠部１１の内部にスムースに結合させることができる。それにより、本発明においては第一突出部２１と第二突出部２２との元の相対位置を迅速に互換することができるため、ゴルフクラブヘッドの全体の重心をもう一つ予定された位置（図示せず）まで移動させることができる。すなわち、本発明においては同一の重り２の組立の角度を調整するだけで、少なくとも二種類の異なった重りの効果を提供することができると共に、その組立が極めて簡単になるため、重り調整の自由度と利便性を確実に増やすことができる。
【実施例２】
【００１６】
図６、６Ａを参照すると、本発明の実施例２のゴルフクラブヘッドの重さ調整自在構造が掲示される。実施例１と比較すると、実施例２においてヘッド本体１はソール部またはその他の部位において複数個の凹欠部１１が形成されると同時に、複数組の重り２と結合部材３が対応になるように設けられる。例を挙げると、図６に示すように、凹欠部１１はヘッド本体１のソール部（sole）において後側（rear）、トウ部（toe）、ヒール部（heel）またはフェース板に近い位置に設けるのを選択することができる。さらに、図６Ａに示すように、凹欠部１１はヘッド本体１の各側辺（skirt）において後側（rear）、トウ部（toe）またはヒール部（heel）に近い位置に設けるのを選択することができる。各重り２は全て二種類の組立角度による選択性を有するため、三組の重り２を設置した場合、本発明においては２×２×２種類による異なった重り調整の効果を有するように形成され、これによって類推することができる。それにより、各重り２は全てそれぞれの組立の角度を変化させることにより、異なった重りの効果を提供することができるため、重り調整の自由度を高めることができると共に、異なった製品による重心設計の要求に符合することができる。
【実施例３】
【００１７】
図７、８を参照すると、本発明の実施例３のゴルフクラブヘッドの重さ調整自在構造が掲示される。実施例１と比較すると、実施例３において重り２は蓋板２０の内面において対称になるように第一突出部２１、第二突出部２２、第三突出部２３と第四突出部２４が設けられ、第一突出部２１、第二突出部２２、第三突出部２３と第四突出部２４はそれぞれ異なった重さを有するように形成される。また、蓋板２０は内面の正中央位置において単独に一個の結合部２０１が設けられる。ヘッド本体１の凹欠部１１には対称になるように同じ容積を有した四個の収容部１２が設けられ、さらに凹欠部１１の正中央位置には他に単独に一個の結合部１３が設けられる。組立時において、蓋板２０は単一の結合部材３を利用して凹欠部１１の内部に結合されると同時に、蓋板２０と凹欠部１１との非正円の対応形状（例えば正方形、菱形または平行四辺形）により相互に係止することができるため、強固な結合関係を維持し補助することができる。結合の方式を変えることにより、蓋板２０は９０°の角度で各突出部２１、２２、２３、２４が異なった収容部１２の位置に相対的に組み立てるのを調整することができ、すなわち、同一の重り２で四種類の異なった重り調整の効果を提供することができる。
【実施例４】
【００１８】
図９を参照すると、本発明の実施例４のゴルフクラブヘッドの重さ調整自在構造が掲示される。実施例１と比較すると、実施例４においてヘッド本体１の凹欠部１１と重り２の蓋板２０は製品の需要性に応じてその他の幾何対称の形状に対応するように形成するのを選択することができ、例えば矩形（長方形）を選択することができる。重り２の蓋板２０は１８０°対称になるように第一突出部２１、第二突出部２２と二個の結合部２１１、２２１が設けられる。それにより、蓋板２０は同様に１８０°の角度で二個の突出部２１、２２の相対の組立位置を調整することができ、すなわち同一の矩形重り２により同様に二種類の異なった重り調整の効果を提供することができる。同様に、本発明においては製品の需要性に応じてその他の幾何形状または特殊な設計による対称の形状を選択して形成することができ、例えば正多辺形、円形、楕円形、三角形または星形などによる対称の形状を選択して形成することができるため、同一の重り２の組立角度による変化を直接利用して二種類以上の重り調整の効果を提供することができる。
【産業上の利用可能性】
【００１９】
上述の如く、従来のゴルフクラブヘッドの重さ調整自在構造によれば、複数個の重りねじによりそれぞれ異なった螺設の程度を制御しなければならないため、操作し難く精確に調整することができないという問題点があったが、図１に示す本発明のゴルフクラブヘッドの重さ調整自在構造によれば、重り２の蓋板２０の内面において直接１８０°または９０°対称になるように複数個の突出部２１、２２を配置し、直接重り２の組立の角度を変えることによって異なった重り調整の効果を提供することができるため、確実に重り調整の自由度と利便性を相対的に増やすことができる。
【００２０】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００２１】
【図１】本発明の実施例１のゴルフクラブヘッドの分解斜視図である。
【図２】本発明の実施例１の重りの斜視図である。
【図３】本発明の実施例１のゴルフクラブヘッドの分解断面図である。
【図４】本発明の実施例１のゴルフクラブヘッドによる組み立てられた状態を示す断面図である。
【図５】本発明の実施例１のゴルフクラブヘッドがもう一つの組立を行った状態を示す分解斜視図である。
【図６】本発明の実施例２のゴルフクラブヘッドによる重りの配置位置を示す分解斜視図である。
【図６Ａ】本発明の実施例２のゴルフクラブヘッドによるもう一つの重りの配置位置を示す分解斜視図である。
【図７】本発明の実施例３のゴルフクラブヘッドの分解斜視図である。
【図８】本発明の実施例３のゴルフクラブヘッドによる組み立てられた状態を示す断面図である。
【図９】本発明の実施例４のゴルフクラブヘッドの分解斜視図である。
【符号の説明】
【００２２】
１    ヘッド本体                      １１    凹欠部
１２    収容部                          １３    結合部
２    重り                            ２０    蓋板
２０１    結合部                          ２１    第一突出部
２１１    結合部                          ２２    第二突出部
２２１    結合部                          ２３    第三突出部
２４    第四突出部                        ３    結合部材
【図１】
2006141710.tif 000003
【図２】
2006141710.tif 000004
【図３】
2006141710.tif 000005
【図４】
2006141710.tif 000006
【図５】
2006141710.tif 000007
【図６】
2006141710.tif 000008
【図６Ａ】
2006141710.tif 000009
【図７】
2006141710.tif 000010
【図８】
2006141710.tif 000011
【図９】
2006141710.tif 000012